(57)【特許請求の範囲】
【請求項１】
出力端が高位出力端子に電気的に接続される主チョークコイルと、
高位入力端子と前記主チョークコイルＬ１の入力端とを電気的に接続する入力側の入力側高位電源ラインに介設されて入力電流を断続制御する直列スイッチと、
低位入力端子及び低位出力端子が接続される低位電源ラインと前記主チョークコイルの前記入力端とを電気的に接続する並列スイッチと、
を備えるＤＣ−ＤＣコンバータにおいて、
前記直列スイッチと前記主チョークコイルとの間の前記入力側高位電源ラインに介設される副チョークコイルと、
一端が前記両チョークコイルの接続端に電気的に接続される第一コンデンサと、
アノードが前記低位電源ラインに、カソードが前記第一コンデンサの他端にそれぞれ電気的に接続される第一ダイオードと、
一端が前記低位電源ラインに電気的に接続される第二コンデンサと、
カソードが前記副チョークコイルＬ２と前記直列スイッチＱ１の接続点に、アノードが前記第二コンデンサＣ４の他端にそれぞれ電気的に接続される第二ダイオードと、
前記第一ダイオードのカソードと前記第二ダイオードのアノードとを電気的に接続する第三ダイオードと、
を有する補助ＬＣ回路と、
前記入力側高位電源ラインと前記低位電源ラインとを接続する平滑コンデンサと、
を備えることを特徴とするＤＣ−ＤＣコンバータ。
【請求項２】
出力端が高位出力端子に電気的に接続される主チョークコイルと、
高位入力端子と前記主チョークコイルの入力端とを電気的に接続する入力側の入力側高位電源ラインに介設されて入力電流を断続制御する直列スイッチと、
低位入力端子及び低位出力端子が接続される低位電源ラインと前記主チョークコイルの前記入力端とを電気的に接続する並列スイッチと、
を備えるＤＣ−ＤＣコンバータにおいて、
一端が前記直列スイッチと前記主チョークコイルとの接続点に、他端が前記並列スイッチを通じて前記低位電源ラインに接続される副チョークコイルと、
一端が前記直列スイッチと前記両チョークコイルとの接続点に電気的に接続される第一コンデンサと、
アノードが前記第一コンデンサの他端に、カソードが前記直列スイッチの入力端にそれぞれ電気的に接続される第一ダイオードと、
一端が前記直列スイッチの入力端に電気的に接続される第二コンデンサと、
アノードが前記副チョークコイルと前記並列スイッチとの接続点に、カソードが前記第二コンデンサの他端にそれぞれ電気的に接続される第二ダイオードと、
前記第一ダイオードのアノードと前記第二ダイオードのカソードとを電気的に接続する第三ダイオードと、
を有する補助ＬＣ回路と、
前記入力側高位電源ラインと前記低位電源ラインとを接続する平滑コンデンサと、
を備えることを特徴とするＤＣ−ＤＣコンバータ。
【発明の詳細な説明】
【０００１】
【発明の属する技術分野】
本発明は、ＤＣーＤＣコンバータに関する。
【０００２】
【従来の技術】
従来のチョッパ型（同期整流型を含む）ＤＣーＤＣコンバータ技術において、補助スイッチング素子を用いて主スイッチング素子のスイッチング過渡期間の電流を減らし、そのスイッチング損失の低減を図ったＤＣ−ＤＣコンバータが知られている。
【０００３】
【発明が解決しようとする課題】
しかしながら、上記従来の補助スイッチング素子付きＤＣ−ＤＣコンバータは、回路構成が複雑であり、追加した補助スイッチング素子の制御が容易でないという問題があった。
【０００４】
すなわち、回路各部の電流や電圧を制御パラメータとしてセンシングし、検出されこれら制御パラメータに基づいて各スイッチを精密に断続制御しなければならず、回路構成が複雑化し、経済性に劣るという問題があった。また、スイッチングに伴う電磁ノイズやサージ電圧が大きいという問題もあった。
【０００５】
本発明は、上記問題点に鑑みなされたものであり、電磁ノイズやサージ電圧を低減でき、回路構成及び制御動作を簡素化可能なＤＣ−ＤＣコンバータを提供することを、その目的としている。
【０００６】
【課題を解決するための手段】
請求項１記載のＤＣ−ＤＣコンバータは、出力端が高位出力端子に電気的に接続される主チョークコイルと、高位入力端子と前記主チョークコイルＬ１の入力端とを電気的に接続する入力側の入力側高位電源ラインに介設されて入力電流を断続制御する直列スイッチと、低位入力端子及び低位出力端子が接続される低位電源ラインと前記主チョークコイルの前記入力端とを電気的に接続する並列スイッチとを備えるＤＣ−ＤＣコンバータにおいて、
前記直列スイッチと前記主チョークコイルとの間の前記入力側高位電源ラインに介設される副チョークコイルと、一端が前記両チョークコイルの接続端に電気的に接続される第一コンデンサと、アノードが前記低位電源ラインに、カソードが前記第一コンデンサの他端にそれぞれ電気的に接続される第一ダイオードと、
一端が前記低位電源ラインに電気的に接続される第二コンデンサと、カソードが前記副チョークコイルＬ２と前記直列スイッチＱ１の接続点に、アノードが前記第二コンデンサＣ４の他端にそれぞれ電気的に接続される第二ダイオードと、
前記第一ダイオードのカソードと前記第二ダイオードのアノードとを電気的に接続する第三ダイオードとを有する補助ＬＣ回路と、前記入力側高位電源ラインと前記低位電源ラインとを接続する平滑コンデンサとを備えることを特徴としている。
【０００７】
請求項２記載のＤＣ−ＤＣコンバータは、出力端が高位出力端子に電気的に接続される主チョークコイルと、高位入力端子と前記主チョークコイルの入力端とを電気的に接続する入力側の入力側高位電源ラインに介設されて入力電流を断続制御する直列スイッチと、低位入力端子及び低位出力端子が接続される低位電源ラインと前記主チョークコイルの前記入力端とを電気的に接続する並列スイッチとを備えるＤＣ−ＤＣコンバータにおいて、
一端が前記直列スイッチと前記主チョークコイルとの接続点に、他端が前記並列スイッチを通じて前記低位電源ラインに接続される副チョークコイルと、一端が前記直列スイッチと前記両チョークコイルとの接続点に電気的に接続される第一コンデンサと、アノードが前記第一コンデンサの他端に、カソードが前記直列スイッチの入力端にそれぞれ電気的に接続される第一ダイオードと、一端が前記直列スイッチの入力端に電気的に接続される第二コンデンサと、アノードが前記副チョークコイルと前記並列スイッチとの接続点に、カソードが前記第二コンデンサの他端にそれぞれ電気的に接続される第二ダイオードと、前記第一ダイオードのアノードと前記第二ダイオードのカソードとを電気的に接続する第三ダイオードとを有する補助ＬＣ回路と、前記入力側高位電源ラインと前記低位電源ラインとを接続する平滑コンデンサとを備えることを特徴としている。
【０００８】
これら発明は共通して次の特徴をもつ。
【０００９】
すなわち、各発明は、副チョークコイルに蓄積された電磁エネルギーを、直列スイッチのオフ時に、ダイオード、コンデンサを通じてに直列スイッチの出力端に放出することにより、直列スイッチのオン時又はオフ時におけるその好ましくない電位変化を抑止する。これにより、直列スイッチのスイッチング損失及びサージノイズを低減する。
【００１０】
更に説明すると、チョッパ型ＤＣーＤＣコンバータの損失の最も大きな成分はスイッチング損失、特に上記直列スイッチのスイッチング損失である。このスイッチング損失に付随して電源電圧に重畳するサージ電圧や電磁波ノイズも大きくなる。これらの発明では、ダイオードを通じて補助ＬＣ回路の蓄積エネルギーを直列スイッチのオフ時における直列スイッチのスイッチング損失低減に用いる。これにより、直列スイッチのオフ時のＺＣＳ、ＺＶＳを可能とし、ＤＣ−ＤＣコンバータの全負荷域において回路構成を簡素化し、効率や信頼性を向上することができる。
【００１１】
なお、上記各構成の発明で言う「主チョークコイル」は、電気回路的にインダクタンス素子であればよく、たとえばモータ巻線などでもよい。また、上記各発明は、並列スイッチとして二端子スイッチとしてのダイオードを用いてダイオードチョッパ型ＤＣ−ＤＣコンバータを構成しても良く、並列スイッチとして三端子スイッチとしてのトランジスタを用いて同期整流型ＤＣ−ＤＣコンバータを構成しても良い。本明細書で言う「電気的に接続する」いう用語は、直結意外になんらかの回路素子たとえば抵抗素子などを経由しての接続を含む。また、上記本発明の各構成において、ダイオードの向きを逆にすれば、直流電源の向きを逆にしてもよい。
【００１２】
上記請求項２記載の構成では、降圧時のみならず昇圧時も上記効果を奏することができる。
【００１３】
上記請求項３記載の構成では請求項１又は２記載のＤＣ−ＤＣコンバータにおいて更に、前記副チョークコイルが主チョークコイルより小さいインダクタンスを有するので、共振用のコイルすなわち副チョークコイルをコアレス構成としてプリント基板に導体パターン形成して作製することもでき、小型化を図ることができる。
【００１４】
請求項４記載の構成によれば請求項１乃至３のいずれか記載のＤＣ−ＤＣコンバータにおいて更に、前記両コンデンサが略等しい容量を有するので、副チョークコイルが蓄積した電磁エネルギーを両コンデンサに移送する時に、両コンデンサの容量差に起因する蓄電エネルギーロスを低減して、電力トランスファー効率を向上することができる。
【００１５】
請求項５記載の構成は請求項１乃至４のいずれか記載のＤＣ−ＤＣコンバータにおいて更に、前記並列スイッチが、二端子スイッチとしてのダイオードからなることを特徴としているので、回路構成及び制御を更に簡素化することができる。
【００１６】
請求項６記載の構成は請求項１乃至５のいずれか記載のＤＣ−ＤＣコンバータにおいて更に、前記並列スイッチが、三端子スイッチとしてのトランジスタと、前記トランジスタと逆並列接続された二端子スイッチとしてのフライホイルダイオードとからなることを特徴としているので、並列スイッチのスイッチング損失を低減することができる。
【００１７】
上記各発明の好適な実施態様において、前記主チョークコイルと前記並列スイッチとしての前記トランジスタとの接続点の電位が前記低位電源ラインに対して所定値以下となる場合に前記トランジスタをオンする。これにより、並列スイッチのスイッチング損失も一層低減することができる。
【００１８】
上記各発明の好適な実施態様において、上記接続点の電位に基づいて決定したオンタイミング（ＺＶＳ、ＺＣＳタイミング）と、ＤＣ−ＤＣコンバータの出力電圧と基準出力電圧との比較に基づいて決定したオンタイミングとの論理積信号に基づいて並列スイッチであるトランジスタを断続制御することが回路構成の簡素化の点で有益である。また、副チョークコイルの電流に連動する電気量を検出し、この電気量に基づいて、副チョークコイルの電流が所定値以下となる場合に並列スイッチとしてのトランジスタをオンしても同一の効果を奏することができる。
【００１９】
【発明の実施の形態】
本発明のＤＣ−ＤＣコンバータの好適な態様を以下の実施例により詳細に説明する。なお、下記に説明する各実施態様において、ダイオードの向きを逆にすれば、入力側直流電源Ｅの向きを逆にしてもよい。
【００２０】
【実施例１】
（回路構成）
この実施例のＤＣ−ＤＣコンバータの回路構成を図１に示す。
【００２１】
Ｅは高圧の入力側直流電源、Ｃ１、Ｃ２、Ｃ３、Ｃ４はコンデンサ、Ｑ１はトランジスタからなる直列スイッチ、Ｑ２はトランジスタからなる並列スイッチ、Ｄ１、Ｄ２、Ｄ３、Ｄ４、Ｄ５はダイオード、Ｌ１、Ｌ２はチョークコイル、ＲＬは負荷抵抗素子（低圧直流電源でもよい）、１００はトランジスタＱ１、Ｑ２を断続制御するためのコントローラである。
【００２２】
コンデンサＣ３、Ｃ４、チョークコイルＬ２、ダイオードＤ３、Ｄ４、Ｄ５は本発明で言う補助ＬＣ回路４００を構成している。
【００２３】
コンデンサＣ１は入力側直流電源Ｅと並列接続された平滑コンデンサであり、コンデンサＣ２は負荷抵抗素子ＲＬと並列接続された平滑コンデンサである。
【００２４】
ダイオードＤ１はトランジスタＱ１と逆並列接続されたフライホイルダイオード、ダイオードＤ２はトランジスタＱ２と逆並列接続されたフライホイルダイオードである。なお、並列スイッチとしてのトランジスタＱ２は省略可能であり、この場合には、トランジスタＱ２と逆並列接続された二端子スイッチとしてのダイオードＤ３が本発明で言う並列スイッチを構成する。
【００２５】
チョークコイル（主チョークコイル）Ｌ１の出力端は負荷抵抗素子ＲＬの高位端に接続されている。チョークコイルＬ１の入力端Ａは、チョークコイル（副チョークコイル）Ｌ２及びトランジスタ（直列スイッチ）Ｑ１を順次通じて入力直流電源の高位端に接続されている。２００は入力側高位電源ライン、３００は低位電源ラインである。トランジスタ（並列スイッチ）Ｑ２は、主チョークコイルＬ１の入力端と低位電源ライン３００とを接続している。
【００２６】
チョークコイル（副チョークコイル）Ｌ２、コンデンサＣ３、Ｃ４、ダイオードＤ３、Ｄ４、Ｄ５は、本発明で言う補助ＬＣ回路を構成し、ダイオードＤ３、Ｄ４、Ｄ５は二端子スイッチとして部分共振制御用スイッチを構成している。
【００２７】
チョークコイルＬ２は、トランジスタＱ１とチョークコイルＬ１とを接続する入力側高位電源ラインに介設されている。コンデンサ（第一コンデンサ）Ｃ３の一端はチョークコイルＬ１、Ｌ２の接続点Ａに接続され、他端はダイオード（第一ダイオード）Ｄ３を通じて低位電源ライン３００に接地されている。ダイオードＤ３のアノードは低位電源ライン３００に接続されている。
【００２８】
コンデンサ（第二コンデンサ）Ｃ４の一端は低位電源ライン３００に接地され、他端はダイオード（第二ダイオード）Ｄ４を通じてトランジスタＱ１とチョークコイルＬ２との接続点に接続されている。Ｂは回路の高位入力端子である。
【００２９】
ダイオード（第三ダイオード）Ｄ５のアノードはダイオードＤ３のカソードに、ダイオードＤ５のカソードはダイオードＤ４のアノードに接続されている。コンデンサＣ３、Ｃ４の容量は等しく設定されている。
（動作）
上記回路の動作を図１の回路図、図２のタイミングチャートを参照して以下に説明する。なお、以下の説明では、トランジスタＱ２を用いないダイオードチョッパ型回路について説明する。
（動作説明）
このＤＣ−ＤＣコンバータの動作を図２に示すタイミングチャートを参照して以下に説明する。以下の動作説明において、まずＤＣ−ＤＣ変換の基本動作を説明し、その後、この補助ＬＣ回路の動作を説明するものとする。
（基本動作）
補助ＬＣ回路４００を無視すれば、このＤＣ−ＤＣコンバータは通常のＤＣ−ＤＣコンバータと同じである。
【００３０】
高圧電源Ｅから低圧電源Ｅ２への降圧送電において、トランジスタＱ１、Ｑ２が交互にオンする。トランジスタＱ１のオンによりチョークコイルＬ１に電磁エネルギーを蓄積しつつ低圧電源Ｅ２に低圧給電が行われ、この電磁エネルギーは、トランジスタＱ１のオフによりダイオードＤ２（又はトランジスタＱ２を通じて低圧電源Ｅ２に給電される。
（補助ＬＣ回路の動作）
トランジスタＱ１がＯＮすると、チョークコイルＬ２は電磁エネルギーを蓄積する。また、チョークコイルＬ２、コンデンサＣ３、ダイオードＤ５、コンデンサＣ４を通じてコンデンサＣ３、Ｃ４がチャージされる。
【００３１】
直列接続されたコンデンサＣ３、Ｃ４とチョークコイルＬ２とはダイオードＤ５を通じて直列共振回路を構成する。共振が半周期すすむと、ダイオードＤ４、Ｄ５のためにコンデンサＣ３は放電できず、共振が停止する。すなわち、コンデンサＣ３、Ｃ４は、トランジスタＱ１のオン期間において充電動作だけを行う。
【００３２】
トランジスタＱ１をオフすると、チョークコイルＬ１はその電流状態を持続しようとするため、接続点Ａの電位は低下しようとする。チョークコイルＬ２はその電流状態を持続しようとして接続点Ａの電位を持ち上げようとし、接続点Ｃの電位は低下しようとする。しかし、接続点Ａの電位低下はコンデンサＣ３がダイオードＤ３を通じて接続点Ａに放電するため効果的に抑止され、その分、接続点Ｃの電位低下は抑止される。更に、コンデンサＣ４は、接続点Ｃの上記電位低下に際してダイオードＤ４を通じて接続点Ｃに放電し、接続点Ｃの電位低下を抑止する。
【００３３】
つまり、トランジスタＱ１がオフされると、この補助ＬＣ回路は、トランジスタＱ１のオン期間に蓄積したエネルギーをトランジスタＱ１の出力端である接続点Ｃに放出して、接続点Ｃの電位低下を抑止する。これにより、トランジスタＱ１のオフにおけるその両端間電位差（電圧降下）が低減されて、トランジスタＱのスイッチング損失の低減、サージノイズの低減を実現することができる。
【００３４】
チョークコイルＬ２の電磁エネルギー放出が終了した後、トランジスタＱ１は所定のＯＦＦ状態を維持し、その後、ダイオードＤ２を通じてのチョークコイルＬ１の負荷抵抗ＲＬへの電磁エネルギー放出が所定レベルまで減衰すると、トランジスタＱ１がオンし、上記動作が繰り返される。
【００３５】
トランジスタＱ１のオン時において、その出力端である接続点Ｃの電位は、チョークコイルＬ１、Ｌ２の逆起電力により持ち上げられるため、トランジスタＱ１の両端間電位差（電圧降下）は小さく（トランジスタＱ１の電流が小さく）、そのスイッチング損失、サージノイズは抑止される。
【００３６】
結局、この実施例の補助ＬＣ回路は、トランジスタＱ１のオフ時のトランジスタＱ１のスイッチング損失、サージノイズを低減する効果を奏する。
【００３７】
次に、コンデンサＣ３とコンデンサＣ４との容量が等しい場合と等しくない場合との各部波形を図６〜図８を参照して以下に説明する。図６はＣ３＝Ｃ４の場合、図７はＣ３＞Ｃ４の場合、図８はＣ３＜Ｃ４の場合を示す。図６〜図８からわかるように、Ｃ３＞Ｃ４の場合にはＣ３に蓄電できなかった電荷がダイオードＤ４を通じて消費されて電力ロスとなり、Ｃ３＜Ｃ４の場合にはコンデンサＣ２から引き抜けなかった電荷がダイオードＤ３を通じて消費されて電力ロスとなる。すなわち、コンデンサＣ３とコンデンサＣ４との容量が等しい場合に共振エネルギーの回生を最も効率よく実施することができることがわかる。
【００３８】
【実施例２】
実施例２を図１を参照して以下に説明する。
【００３９】
この実施例は、実施例１においてトランジスタＱ２を作動させて同期整流型ＤＣーＤＣコンバータとしたものである。
【００４０】
通常の同期整流型ＤＣーＤＣコンバータと同じく、トランジスタＱ２は、トランジスタＱ１と交互にオン、オフされて、チョークコイルＬ１の電磁エネルギー放電をアシストする。すなわち、トランジスタＱ２はトランジスタＱ１のオフ時にオンされ、チョークコイルＬ１の電磁エネルギー放出による接続点Ａの電位低下を抑止する。
【００４１】
トランジスタＱ２のオフ（トランジスタＱ１のオン）時における接続点Ａの電位上昇は上述のように補助ＬＣ回路４００により抑止されるので、トランジスタＱ２のオフ時の電圧降下が低減され、そのスイッチング損失、サージノイズが低減される。
【００４２】
【実施例３】
実施例３を図３の回路図を参照して説明する。この回路は高圧バッテリＥと低圧バッテリＥ２との間で双方向送電可能なＤＣ−ＤＣコンバータに本発明の補助ＬＣ回路を適用したものである。したがって、負荷抵抗素子ＲＬの代わりに低圧直流電源Ｅ２が採用されている。
【００４３】
（回路構成）
この実施例では、図１に示す補助ＬＣ回路４００の代わりに補助ＬＣ回路５００を用いた点に特徴がある。
【００４４】
補助ＬＣ回路５００は、コンデンサＣ５、Ｃ６、チョークコイルＬ２、ダイオードＤ６、Ｄ７、Ｄ８から構成されている。チョークコイル（副チョークコイル）Ｌ２は、チョークコイルＬ１とトランジスタＱ２との間に介設されている。
【００４５】
コンデンサＣ５の一端はトランジスタＱ１の入力端に接続され、ダイオードＤ６は、トランジスタＱ２とチョークコイルＬ２との接続点とコンデンサＣ５の他端とを接続している。
【００４６】
コンデンサＣ６の一端はトランジスタＱ１とチョークコイルＬ１との接続点に接続され、ダイオードＤ７はコンデンサＣ６の他端とトランジスタＱ１の入力端とを接続している。
【００４７】
ダイオードＤ８のアノードはダイオードＤ６のカソードに、ダイオードＤ８のカソードはダイオードＤ７のアノードに接続されている。
（動作説明）
このＤＣ−ＤＣコンバータの動作を図４、図５のタイミングチャートを参照して以下に説明する。ただし、この実施例ではトランジスタＱ２を稼働させるものとする。以下の動作説明において、まずＤＣ−ＤＣ変換の基本動作を説明し、その後、この補助ＬＣ回路の動作を説明するものとする。
（基本動作）
補助ＬＣ回路５００を無視すれば、このＤＣ−ＤＣコンバータは通常のＤＣ−ＤＣコンバータと同じである。
【００４８】
高圧電源Ｅから低圧電源Ｅ２への降圧送電においては、トランジスタＱ１、Ｑ２が交互にオンする。トランジスタＱ１のオンによりチョークコイルＬ１に電磁エネルギーを蓄積しつつ低圧電源Ｅ２に給電が行われ、この電磁エネルギーは、トランジスタＱ１のオフによりダイオードＤ２（又はトランジスタＱ２）、チョークコイルＬ２を通じて低圧電源Ｅ２に給電される。チョークコイルＬ２の挙動については後述する。この降圧送電においては、トランジスタＱ１のオン時間はトランジスタＱ２のオン時間よりも長く、トランジスタＱ２のオン時間はチョークコイルＬ１の蓄積電磁エネルギーの放出に相当する時間だけオンさせることが適当である。
【００４９】
低圧電源Ｅ２から高圧電源Ｅへの昇圧送電においては、トランジスタＱ１、Ｑ２が交互にオンする。トランジスタＱ２のオンによりチョークコイルＬ１に電磁エネルギーを蓄積される。この電磁エネルギーは、トランジスタＱ２のオフによりダイオードＤ１（又はトランジスタＱ１）を通じて高圧電源Ｅに給電される。チョークコイルＬ２の挙動については後述する。この昇圧送電においては、トランジスタＱ２のオン時間はトランジスタＱ１のオン時間よりも長く、トランジスタＱ１のオン時間はチョークコイルＬ１の蓄積電磁エネルギーの放出に相当する時間だけオンさせることが適当である。降圧動作においてトランジスタＱ２を省略すること、及び、昇圧動作において、トランジスタＱ１を省略することは当然可能である。
（補助ＬＣ回路の動作）
（昇圧動作）
まず、低圧電源Ｅ２から高圧電源Ｅへの昇圧送電について以下に説明する。
【００５０】
トランジスタＱ２がオンし、トランジスタＱ１がオフしている時には、低圧電源Ｅ２からチョークコイルＬ１、Ｌ２、トランジスタＱ２を通じて電流が流れ、チョークコイルＬ１、Ｌ２に電磁エネルギーが蓄積される。
【００５１】
トランジスタＱ２をオフし、トランジスタＱ１をＯＮすると、トランジスタＱ２の通電により低圧電源Ｅ２からチョークコイルＬ１を通じてトランジスタＱ２に流れていた電流によりチョークコイルＬ１に蓄積された電磁エネルギー分だけ昇圧された電力が、トランジスタＱ１を通じて高圧バッテリＥに給電される。この時、接続点Ａの電位上昇は、ダイオードＤ１により規制される。
【００５２】
トランジスタＱ２のオフにより、チョークコイルＬ２の蓄積電磁エネルギーは通電を維持しようとして接続点Ｘの電位を上昇させ、接続点Ａの電位を低下させようとする。これにより、接続点ＸからダイオードＤ６、Ｄ８、Ｄ７を通じて電流が流れて接続点Ｘの電位上昇が規制され、コンデンサＣ５がチャージされる。これにより、トランジスタＱ２のオフ時のスイッチング損失、サージノイズが低減される。
【００５３】
接続点Ｘの上記電位上昇による、ダイオードＤ６、Ｄ８、コンデンサＣ６通じて接続点Ａの電位低下を妨げ、コンデンサＣ６をチャージする。このコンデンサＣ６の蓄電電力は、トランジスタＱ１のオフ時などにおいて、ダイオードＤ７を通じてトランジスタＱ１の入力端に還流され、回生される。
【００５４】
（降圧動作）
トランジスタＱ２がオフし、トランジスタＱ１がオンしている時には、チョークコイルＬ２は電磁エネルギーを蓄積することはない。
【００５５】
トランジスタＱ１、Ｑ２のスイッチング過渡期間を考えると、トランジスタＱ１がオンした直後において、チョークコイルＬ１は逆起電力を発生して、トランジスタＱ１の電流を抑止し、トランジスタＱ１のスイッチング損失を低減する。トランジスタＱ１がオフした直後において、チョークコイルＬ１はその電磁エネルギーの放散のために通電を続けようとし、その結果、接続点Ａの電位は低下しようとする。しかし、この電位低下は、ダイオードＤ８を通じてのコンデンサＣ５、Ｃ６の充電により抑止され、トランジスタＱ１のオフ時のトランジスタＱ１の電圧降下（両端間電位差）がその分だけ減少する。したがって、トランジスタＱ１のオフ過渡期間におけるスイッチング損失、サージノイズが減少する。コンデンサＣ６の充電は、その後、接続点Ａの電位回復とともにトランジスタＱ１の入力端すなわち高圧電源Ｅに環流される。
【００５６】
トランジスタＱ２をオフした直後において、チョークコイルＬ２の蓄積電磁エネルギーは接続点Ｘの電位を低下させようとするが、この電位低下はダイオードＤ２によりクランプされる。
【００５７】
上記昇圧動作時の各部波形を図４に、上記降圧動作時の各部波形を図５に示す。
【図面の簡単な説明】
【図１】実施例１のＤＣ−ＤＣコンバータを示す回路図である。
【図２】実施例１のＤＣ−ＤＣコンバータの各部波形を示すタイミングチャートである。
【図３】実施例３のＤＣ−ＤＣコンバータを示す回路図である。
【図４】実施例３のＤＣ−ＤＣコンバータの昇圧時の各部波形を示すタイミングチャートである。
【図５】実施例３のＤＣ−ＤＣコンバータの降圧時の各部波形を示すタイミングチャートである。
【図６】実施例１のＤＣ−ＤＣコンバータ（Ｃ３＝Ｃ４）の各部波形を示すタイミングチャートである。
【図７】実施例１のＤＣ−ＤＣコンバータ（Ｃ３＞Ｃ４）の各部波形を示すタイミングチャートである。
【図８】実施例１のＤＣ−ＤＣコンバータ（Ｃ３＜Ｃ４）の各部波形を示すタイミングチャートである。
【符号の説明】
Ｌ１  チョークコイル（主チョークコイル）
Ｂ    高位入力端子
２００  入力側高位電源ライン
Ｑ１    トランジスタ（直列スイッチ）
３００  低位電源ライン
Ｑ２    トランジスタ（並列スイッチ）
Ｌ２    チョークコイル（副チョークコイル）
Ｃ３    コンデンサ（第一コンデンサ）
Ｄ３    ダイオード（第一ダイオード）
Ｃ４    コンデンサ（第二コンデンサ）
Ｄ４    ダイオード（第二ダイオード）
Ｄ５    ダイオード（第三ダイオード）
４００  補助ＬＣ回路
Ｃ５    コンデンサ（第二コンデンサ）
Ｃ６    コンデンサ（第一コンデンサ）
Ｄ７    ダイオード（第一ダイオード）
Ｄ６    ダイオード（第二ダイオード）
Ｄ８    ダイオード（第三ダイオード）
５００  補助ＬＣ回路
【図１】
0003626114.tif 000002
【図２】
0003626114.tif 000003
【図３】
0003626114.tif 000004
【図４】
0003626114.tif 000005
【図５】
0003626114.tif 000006
【図６】
0003626114.tif 000007
【図７】
0003626114.tif 000008
【図８】
0003626114.tif 000009